(57)【要約】【課題】不使用時には嵩張らず、ライトを手で直接持たなくても暗がりでバインダーボードに支持された書類やメモ用紙等を明るく照らすことができるライトを提供することを目的としている。【解決手段】ライト本体と、このライト本体を照明姿勢変更自在に支持する基部とを備え、前記ライト本体および基部がバインダーボードの下敷き部に着脱自在になっていることを特徴としている。【選択図】　　　図１
2004095468.tif 000002
【特許請求の範囲】
【請求項１】
ライト本体と、このライト本体を照明姿勢変更自在に支持する基部とを備え、前記ライト本体および基部がバインダーボードの下敷き部に着脱自在になっているライト。
【請求項２】
基部の嵌合凹部を有し、下敷き部の所望位置に固着される支持部を備え、基部および前記嵌合凹部のいずれか一方に磁石が設けられ、他方にこの磁石に吸着して基部の前記嵌合凹部への嵌合状態を維持する磁石または磁性体が設けられている請求項１に記載のライト。
【請求項３】
ライト本体が、発光ダイオードと、この発光ダイオードに給電する電池が装着される電池ボックスと、前記電池から発光ダイオードに給電される電気を昇圧する昇圧回路とを備えている請求項１または請求項２に記載のライト。
【発明の詳細な説明】
【０００１】
【発明の属する技術分野】
本発明は、ライト、特にバインダーボードに装着してバインダーボードに支持された書類等を明るく照らすことが可能なライトに関する。
【０００２】
【従来の技術】
木、厚紙、合成樹脂等で形成された板状をした下敷き部と、この下敷き部との間に書類やメモ用紙などの端部を挟み込むバインダーとを備えたバインダーボードがある。
すなわち、このバインダーボードは、バインダーと下敷き部との間に書類やメモ用紙などの端部を挟み込むことによって、複数枚の書類やメモ用紙などをまとめて持ち運んだりすることができるとともに、机などがなくても下敷き部を片手で持ち、下敷き部を下敷きにして書類やメモ用紙などに書き込みを行うことができるという利点を備えている。
【０００３】
ところで、上記のような従来のバインダーボードでは、夜間の工事現場のような暗がりでバインダーボードに挟持された書類やメモ用紙の内容を読もうとする場合、片手に懐中電灯を持って、書類やメモ用紙を照らさなくてはならない。しかし、１方の手で下敷き部を持ち、他方の手で筆記用具および懐中電灯を持たなければならず、書き込みなどが非常に行いにくいという問題がある。
【０００４】
【発明が解決しようとする課題】
本発明は、上記事情に鑑みて、不使用時には嵩張らず、ライトを手で直接持たなくても暗がりでバインダーボードに支持された書類やメモ用紙等を明るく照らすことができるライトを提供することを目的としている。
【０００５】
【課題を解決するための手段】
上記目的を達成するために、本発明の請求項１に記載のライト（以下、「請求項１のライト」と記す）は、ライト本体と、このライト本体を照明姿勢変更自在に支持する基部とを備え、前記ライト本体および基部がバインダーボードの下敷き部に着脱自在になっていることを特徴としている。
【０００６】
本発明の請求項２に記載のライト（以下、「請求項２のライト」と記す）は、請求項１のライトにおいて、基部の嵌合凹部を有し、下敷き部の所望位置に固着される支持部を備え、基部および前記嵌合凹部のいずれか一方に磁石が設けられ、他方にこの磁石に吸着して基部の前記嵌合凹部への嵌合状態を維持する磁石または磁性体が設けられていることを特徴としている。
【０００７】
本発明の請求項３に記載のライト（以下、「請求項３のライト」と記す）は、請求項１または請求項２のライトにおいて、ライト本体が、発光ダイオードと、この発光ダイオードに給電する電池が装着される電池ボックスと、前記電池から発光ダイオードに給電される電気を昇圧する昇圧回路とを備えていることを特徴としている。
【０００８】
本発明において、光源としては、特に限定されないが、エネルギーコストや耐久性を考慮すると、請求項３のライトのように発光ダイオードを用いることが好ましい。発光ダイオードとしては、特に限定されないが、主に白色発光ダイオードが用いられる。
昇圧回路は、少ない数の電池で発光ダイオードが所望の輝度で発光するようにできれば、特に限定されず、公知のものが使用できる。
【０００９】
電池としては、特に限定されず、マンガン電池、アルカリ電池等の１次電池でも構わないし、ニッケル−カドミニウム電池、ニッケルー水素電池等の２次電池でも構わない。また、単３電池や単４電池以外にボタン電池などを電源としても構わない。
電池ボックスのセットされる電池は、軽量化や小型化を図るため、本数を少なくするとともに、できるだけ小型の電池を使用することが好ましい。
【００１０】
本発明のライトの用途としては、特に限定されないが、たとえば、以下のような用途が挙げられる。
（１）夜間、暗所（例えば、工事現場、講演時）での筆記作業、図面資料の確認時での手元照明
（２）暗所での読書時の手元照明
（３）停電、災害時での手元照明
（４）工場、作業場での手元照明
（５）レジャー。ドライブ時の手元照明
【００１１】
本発明のライトの総重量は、できるだけ軽くすることが好ましく、具体的には電池込みで６０ｇ以下とすることが好ましい。
【００１２】
【発明の実施の形態】
以下に、本発明を、その実施の形態をあらわす図面を参照しつつ詳しく説明する。
図１〜図６は、本発明にかかるライトの１つの実施の形態をあらわしている。
【００１３】
図１〜図５に示すように、このライト（以下、「ライト」とのみ記す）１は、ライト本体２と、基部３と、支持部４とを備えている。
ライト本体２は、図２および図６に示すように、白色発光ダイオード２１と、電源となる１本の単３乾電池２４が着脱自在な電池ボックス２２と、昇圧回路２３と、スイッチ２５とをケーシング２０の内部に備えている。
【００１４】
ケーシング２０は、全体が透明アクリル樹脂によって形成され内蔵された白色発光ダイオード２１の光が透過して照明箇所を照明する照明部２０ａと、電池ボックス２２および昇圧回路２３等の電気回路が内蔵された不透明樹脂で形成されたボディ２０ｂとを備えている。
発光ダイオード２１としては、近辺を明るく照らす広角タイプの超高輝度のものが用いられている。
【００１５】
基部３は、円柱状をしていて、円盤状の磁石７が端面に埋め込まれているとともに、ユニバーサルジョイント３１を介してライト本体２と連結され、基部３が固定されてもライト本体２の角度を自由に調節できるようになっている。
支持部４は、基部３が嵌合する嵌合凹部としての嵌合穴４１を一方に穿設された円筒状をした樹脂製の支持部本体４０と、この支持部本体４０の嵌合穴４１の底に埋め込まれた磁性体片４２とを備えている。
【００１６】
また、支持部本体４０は、底面（嵌合穴４１が設けられていない面）に粘着剤４３が予め積層されている。
昇圧回路２３は、単３電池２４から供給される電気の電圧をダイオード池を
【００１７】
そして、このライト１は、以下のようにして用いることができる。すなわち、まず、バインダーボード８の下敷き部８１の所望部分に支持部本体４０を粘着剤４３を介して貼着しておく。そして、夜間の工事現場等でバインダーボード８に挟持された書類８２を確認したり、書類８２に書き込みを行う場合、ライト本体２の基部３を嵌合穴４１に差し込み、磁石７を磁性体片４２に吸着させることによって、基部３を支持部４を介してバインダーボード８に固定する。つぎに、スイッチ２５をスライドさせて回路を閉じて白色発光ダイオード２１を点灯させるとともに、白色発光ダイオード２１の光が有効に書類やメモ用紙等に当たるようにライト本体２の角度を調節する。
一方、ライト１の不使用時には、必要に応じて、ライト本体２を基部３とともに、支持部４から取り外しておく。
【００１８】
このライト１は、以上のようになっているので、バインダーボード８に装着するようにすれば、暗がりでライトを手で直接持たなくてもバインダーボードに支持された書類８１を明るく照らすことができるとともに、ライト本体２が基部３とユニバーサルジョイント３１を介して接続されているので、ライト本体２の角度を自由に調整して、照射位置を変更することができる。
また、ライト本体２が基部３とともに支持部４から簡単に取り外せるので、昼間などのライト不使用時には、ライト本体２を基部３とともに取り外しておけば、バインダーボード８に大きく突出するものがなく、バインダーボード８が嵩張らず、取り扱いが容易になるとともに、ライト本体２を通常の懐中電灯などとして用いることもできる。
【００１９】
しかも、基部３が磁石７の吸引力によって支持部４に装着されるようになっているので、着脱が容易で、しっかりと装着できる。
また、電源が単３乾電池１個だけあるので、軽量で取り扱いに優れるとともに、光源が白色発光ダイオード２１であるので、白熱球に比べ消費電力が少なくエネルギーコストが少なく済むとともに、耐久性に優れている。
さらに、基部３の磁石７を磁性体で形成された家具の壁面や柱、梁等に吸着させれば、ライト本体２を他の部分の照明器具としても使用できる。
【００２０】
本発明は、上記の実施の形態に限定されない。たとえば、上記の実施の形態では、基部とライト本体とがユニバーサルジョイントを介して接続されているが、内部に電気配線が通されたフレキシブルチューブを介して接続するようにしても構わないし、ユニバーサルジョイントは、多関節のものを使用しても構わない。
また、上記の実施の形態では、基部側に磁石が設けられ、嵌合穴内に磁性体片が設けられていたが、両側に磁石を設けるようにしても構わない。
【００２１】
さらに、上記の実施の形態では、１つの白色発光ダイオードが用いられていたが、白色発光ダイオードと、赤色発光ダイオードあるいは点滅式発光ダイオードとを並列状態に設け、スイッチで切り換えられるようにしても構わない。すなわち、このようにすれば、赤色発光ダイオードあるいは点滅式発光ダイオードにスイッチを切り換えるとともに、ライト本体および基部をバインダーボードから取り外せば、非常信号灯としても使用できるようになる。
また、上記の実施の形態では、支持部本体が粘着剤によって、下敷き部に貼着されるようになっていたが、両面テープ、接着剤やビス等によって固着するようにしても構わない。
【００２２】
上記の実施の形態では電池ボックスに単３型の電池が１本セットされるようになっているが、昇圧回路を設けず、例えば、単５型の電池３本を直列にセットできるようにしても構わない。
上記の実施の形態では、ボディが不透明樹脂で形成されていたが、アルミニウムやその合金等の軽金属で形成されていても構わない。また、照明部に反射板等を設けて発光ダイオードの光を照射面にできるだけ集光させるようにしても構わない。
【００２３】
【発明の効果】
本発明にかかるライトは、以上のように構成されているので、不使用時には嵩張らず、手で直接持たなくても暗がりでもバインダーボードに支持された書類やメモ用紙等を明るく照らすことができる。
【００２４】
特に、請求項２のライトのようにすれば、ライト本体を容易に着脱できるようになる。
また、請求項３のライトのようにすれば、軽量小型化でき、持ち運び等に便利になる。また、エネルギーコストを低減できるとともに、耐久性に優れたものとすることができる。
【図面の簡単な説明】
【図１】本発明にかかるライトの１つの実施の形態をあらわす正面図である。
【図２】図１のライトのボディ部分の断面図である。
【図３】図１のライトのバインダーボードへの装着状態をあらわす斜視図である。
【図４】バインダーボードからライト本体および基部とを取り外した状態の斜視図である。
【図５】図３のＸ−Ｘ線断面図である。
【図６】図１のライトの回路図である。
【符号の説明】
１　ライト
２　ライト本体
２０　ケーシング
２０ａ　照明部
２０ｂ　ボディ
２１　白色発光ダイオード
２２　電池ボックス
２３　昇圧回路
２４　単３乾電池
２５　スイッチ
３　基部
３１　ユニバーサルジョイント
４　支持部
４０　支持部本体
４１　嵌合穴（嵌合凹部）
４２　磁性体片
４３　粘着剤
７　磁石
８　バインダーボード
８１　下敷き部
８２　書類
【図１】
2004095468.tif 000003
【図２】
2004095468.tif 000004
【図３】
2004095468.tif 000005
【図４】
2004095468.tif 000006
【図５】
2004095468.tif 000007
【図６】
2004095468.tif 000008